(57)【要約】【課題】耐気圧性能を向上しつつ、偏向電力を低減することができ、且つ表示画面が良好で、ゲッタの取付けや内部導電膜の形成が容易な陰極線管を提供する。【解決手段】陰極線管装置は、パネル１とファンネル２とネック３とを含む真空外囲器４を備えており、ファンネル２の外側には偏向ヨーク７が取り付けられている。偏向ヨーク７は、セパレータ７２により互いに隔てられた水平偏向コイル７１及び垂直偏向コイル７３と、これらを囲む筒状コア７０とを有している。筒状コア７０の外面及び内面のうち少なくとも外面は、ネック３側からパネル１側に進むにつれて、円形状から、少なくとも水平軸方向又は垂直軸方向に最大寸法を有する略樽形状に変化する。【選択図】        図３
2004281335.tif 000002
【特許請求の範囲】
【請求項１】
水平軸及び垂直軸が規定される略矩形状のスクリーンを備えたパネルと、前記パネルに接合された略漏斗状のファンネルと、前記ファンネルの前記パネルとは反対の側に接合された略円筒状のネックとを有し、前記ファンネルが前記ネックに隣接してヨーク取付け部を有する真空外囲器と、
前記ファンネルの前記ヨーク取付け部の外側に取り付けられた偏向ヨークと、
前記ネックに装着された電子銃とを備え、
前記偏向ヨークが、前記電子銃から射出された電子ビームを前記スクリーンの水平軸方向及び垂直軸方向に偏向する水平偏向コイル及び垂直偏向コイルと、前記水平偏向コイルと垂直偏向コイルとの間に介在するセパレータと、前記水平偏向コイル及び前記垂直偏向コイルの少なくとも一方を囲む高透磁率の筒状コアとを有し、
前記筒状コアの外面及び内面のうち少なくとも外面を、前記ファンネルの管軸に直交する断面形状が、前記ネック側の端部から前記パネル側の端部に進むにつれて、略円形状から、少なくとも前記水平軸方向又は前記垂直軸方向に最大寸法を有する略樽形状に変化するよう構成し、
前記ヨーク取付け部の外面及び内面のうち少なくとも外面を、前記ファンネルの管軸に直交する断面形状が、前記ネック側の端部から前記パネル側の端部に進むにつれて、略円形状から、前記筒状コアと略同一方向に最大寸法を有する略樽形状に変化するよう構成したことを特徴とする陰極線管装置。
【請求項２】
前記略樽形状は、前記水平軸方向又は前記垂直軸方向に平行な略直線状の２辺と、前記管軸を中心とした円弧状の２辺とにより構成されることを特徴とする請求項１に記載の陰極線管装置。
【請求項３】
前記筒状コアの前記外面及び前記内面のうち少なくとも外面を、前記ネックの近傍領域を除き、前記管軸に直交する任意の断面における前記管軸からの前記水平軸方向及び前記垂直軸方向の距離をそれぞれＹｈｃ及びＹｖｃとし、前記スクリーンの前記水平軸方向及び前記垂直軸方向の寸法をそれぞれＭ及びＮとしたときに、
ＹｈｃがＹｖｃよりも小さい場合には、
０．６×（Ｎ／Ｍ）≦（Ｙｖｃ２−Ｙｈｃ２）１／２／Ｙｈｃ≦１．２×（Ｎ／Ｍ）
という関係式が成立し、
ＹｈｃがＹｖｃよりも大きい場合には、
１．２×（Ｎ／Ｍ）≦Ｙｖｃ／（Ｙｈｃ２−Ｙｖｃ２）１／２≦１．８×（Ｎ／Ｍ）
という関係式が成立するよう構成したことを特徴とする請求項１又は２に記載の陰極線管装置。
【請求項４】
水平軸及び垂直軸が規定される略矩形状のスクリーンを備えたパネルと、前記パネルに接合された略漏斗状のファンネルと、前記ファンネルの前記パネルとは反対の側に接合された略円筒状のネックとを有する陰極線管装置において、前記ファンネルの前記ネックに隣接する部分の外側に取り付けられる偏向ヨークであって、
前記ネックに装着された電子銃から射出された電子ビームを前記スクリーンの水平軸方向及び垂直軸方向に偏向する水平偏向コイル及び垂直偏向コイルと、
前記水平偏向コイルと前記垂直偏向コイルとの間に介在するセパレータと、
前記水平偏向コイル及び前記垂直偏向コイルの少なくとも一方を囲む高透磁率の筒状コアとを備え、
前記筒状コアの外面及び内面のうち少なくとも外面を、前記ファンネルの管軸に直交する断面形状が、前記ネック側の端部から前記パネル側の端部に進むにつれて、略円形状から、少なくとも前記水平軸方向又は前記垂直軸方向に最大寸法を有する略樽形状に変化するよう構成したことを特徴とする偏向ヨーク。
【請求項５】
前記略樽形状は、前記水平軸方向又は前記垂直軸方向に平行な略直線状の２辺と、前記管軸を中心とした円弧状の２辺とにより構成されることを特徴とする請求項４に記載の偏向ヨーク。
【請求項６】
前記筒状コアの前記外面及び前記内面のうち少なくとも外面を、前記ネックの近傍領域を除き、前記管軸に直交する任意の断面における前記管軸からの前記水平軸方向及び前記垂直軸方向の距離をそれぞれＹｈｃ及びＹｖｃとし、前記スクリーンの前記水平軸方向及び前記垂直軸方向の寸法をそれぞれＭ及びＮとしたときに、
ＹｈｃがＹｖｃよりも小さい場合には、
０．６×（Ｎ／Ｍ）≦（Ｙｖｃ２−Ｙｈｃ２）１／２／Ｙｈｃ≦１．２×（Ｎ／Ｍ）
という関係式が成立し、
ＹｈｃがＹｖｃよりも大きい場合には、
１．２×（Ｎ／Ｍ）≦Ｙｖｃ／（Ｙｈｃ２−Ｙｖｃ２）１／２≦１．８×（Ｎ／Ｍ）
という関係式が成立するよう構成したことを特徴とする請求項４又は５に記載の偏向ヨーク。
【発明の詳細な説明】
【０００１】
【発明の属する技術分野】
本発明は、テレビジョンやコンピュータ用のディスプレイ等に用いられる陰極線管装置、及び陰極線管装置において電子ビームを水平軸方向及び垂直軸方向に偏向するために用いられる偏向ヨークに関する。
【０００２】
【従来の技術】
テレビジョンやコンピュータ用のディスプレイ等に用いられる陰極線管装置は、電子銃から射出された電子ビームをスクリーンの水平軸方向及び垂直軸方向に偏向する偏向ヨークを有している。偏向ヨークは、漏斗状のファンネルの小径部の外側に取り付けられた水平偏向コイル及び垂直偏向コイルと、これらの少なくとも一方を囲む筒状コアとを有している。近年、偏向周波数の高周波数化に伴い、偏向電力（すなわち、偏向ヨークにおける消費電力）の抑制が求められている。そこで、偏向電力を低減するために、筒状コア及びファンネル小径部の断面形状を、ネック側からパネル側に進むにつれて円形状から矩形状に変化するよう構成した陰極線管装置が提案されている（特許文献１参照）。
【０００３】
【特許文献１】
特開平１１−２６５６６６号公報（第５−６頁、第１図）
【特許文献２】
特開２０００−２９４１６５公報（第３頁、第１図）
【特許文献３】
特開２００１−１３５２６０公報（第３−４頁、第２図）
【０００４】
【発明が解決しようとする課題】
上記の陰極線管装置では、筒状コア及びファンネル小径部の断面形状を、ネック側からパネル側に進むにつれて徐々に円形状から矩形状に変化させることによって、電子ビームのファンネル内面への衝突を回避し、また水平偏向コイル及び垂直偏向コイルを電子ビーム通過領域に接近させることで偏向電力を低減している。
【０００５】
しかしながら、上述した従来の陰極線管装置では、ファンネル内を真空にする際に、ファンネルの小径部の矩形状部分の各側壁が内側に変形し、これにより矩形状部分の角部から亀裂が生じ易くなり、耐気圧性能が低下するという問題がある。そのため、ファンネルの小径部を全体に丸みを帯びた形状にしなければならず、偏向ヨークを電子ビームの通過領域に十分接近させることができないという問題がある。
【０００６】
偏向電力を低減するためには、ファンネルの小径部の断面積を小さくすることも可能であるが、この場合、スクリーンの角部に向かう電子ビームが小径部の内面に衝突する、いわゆるＢＳＮ（Ｂｅａｍｓ  Ｓｔｒｉｋｅ  Ｎｅｃｋ）現象が発生し、良好な画像が得られないという問題がある。
【０００７】
さらに、ファンネルの内壁には、陰極線管内の電位を一定に保つための黒鉛等よりなる内部導電膜が形成されるのが一般的であるが、この内部導電膜は、ファンネルを回転させながら、ファンネルのパネル接合部側からネック側に黒鉛スラリーを流し込むいわゆるフローコート法により形成される。そのため、ファンネルの小径部の断面形状を、ネック側からパネル側に進むにつれて円形状から矩形状に変化するように構成すると、矩形状部分の角部（隅）に液溜まりが生じて塗布むらとなり易く、乾燥後に剥がれて色選別電極に付着するという問題がある。
【０００８】
加えて、ファンネルの内側には、陰極線管内の高真空を保つためのゲッタが設けられるのが一般的であるが、このゲッタは、ファンネルの小径部の内壁に沿って設けられた帯状のゲッタ支持部材の先端に取り付けられる。小径部の一部を矩形状にすると、その矩形状部分では電子ビーム通過領域の外側の有効スペースが少なくなるため、ゲッタ支持部材を電子ビーム通過領域に接近させて配置しなければならない。そのため、ゲッタ支持部材の影がスクリーン上に投影され、あるいはスクリーンにおけるコンバーゼンスが低下するという問題がある。
【０００９】
本発明は、上述した問題点を解決するためになされたものであり、その目的は、耐気圧性能を向上しつつ、偏向電力を低減することができ、且つ良好な表示画面が得られ、ゲッタの取付けや内部導電膜の形成が容易な陰極線管装置及び偏向ヨークを提供することにある。
【００１０】
【課題を解決するための手段】
前記目的を達成するため、本発明に係る陰極線管装置は、水平軸及び垂直軸が規定される略矩形状のスクリーンを備えたパネルと、前記パネルに接合された略漏斗状のファンネルと、前記ファンネルの前記パネルとは反対の側に接合された略円筒状のネックとを有し、前記ファンネルが前記ネックに隣接してヨーク取付け部を有する真空外囲器と、前記ファンネルの前記ヨーク取付け部の外側に取り付けられた偏向ヨークと、前記ネックに装着された電子銃とを備えて構成されている。前記偏向ヨークは、前記電子銃から射出された電子ビームを前記スクリーンの水平軸方向及び垂直軸方向に偏向する水平偏向コイル及び垂直偏向コイルと、前記水平偏向コイルと垂直偏向コイルとの間に介在するセパレータと、前記水平偏向コイル及び前記垂直偏向コイルの少なくとも一方を囲む高透磁率の筒状コアとを有する。前記筒状コアの外面及び内面のうち少なくとも外面は、前記ファンネルの管軸に直交する断面形状が、前記ネック側の端部から前記パネル側の端部に進むにつれて、略円形状から、少なくとも前記水平軸方向又は前記垂直軸方向に最大寸法を有する略樽形状に変化するよう構成されている。前記ヨーク取付け部の外面及び内面のうち少なくとも外面は、前記ファンネルの管軸に直交する断面形状が、前記ネック側の端部から前記パネル側の端部に進むにつれて、略円形状から、前記筒状コアと略同一方向に最大寸法を有する略樽形状に変化するよう構成されている。
【００１１】
【発明の実施の形態】
実施の形態１．
図１及び図２は、実施の形態１に係る陰極線管装置を示す斜視図及び側断面図である。図１に示すように、実施の形態１に係る陰極線管装置は、矩形状のパネル１と、このパネル１に接合された漏斗状のファンネル２と、ファンネル２の小径部に接合された円筒状のネック３とからなる真空外囲器４と、ファンネル２の外側に装着される偏向ヨーク７とを有している。偏向ヨーク７は、ファンネル２においてネック３に隣接する部分に形成された小径部であるヨーク取付け部５の外面に固定されている。以下の説明では、ファンネル２の中心軸線の方向を、管軸（Ｚ軸）方向とする。また、ファンネル２のパネル１側を「前方」とし、ネック３側を「後方」とする。
【００１２】
図２に示すように、パネル１の内面には、青、緑及び赤に発光する蛍光体層からなるスクリーン１ａが設けられている。スクリーン１ａは、水平軸（Ｈ軸）方向に長軸を有し、これに直交する垂直軸（Ｖ軸）方向に短軸を有する矩形状であり、そのアスペクト比、すなわちＨ軸方向の寸法ＭとＶ軸方向の寸法Ｎとの比は、４：３もしくは１６：９である。また、パネル１の内側には、スクリーン１ａに対向するように、色選別電極としてのシャドウマスク１１が設けられており、このシャドウマスク１１には、内部磁気シールド１２が取り付けられている。ネック３の内側には、電子銃３０を含む電子銃構体３１が取り付けられている。この電子銃３０は、Ｈ軸方向に一列に配列された３つの電子ビームを射出する、いわゆるインライン型電子銃である。
【００１３】
図３は、偏向ヨーク７及びファンネル２のヨーク取付け部５を拡大して示す側断面図である。偏向ヨーク７は、ファンネル２のヨーク取付け部５の外面に沿って巻かれた水平偏向コイル７１と、この水平偏向コイル７１よりも更に外側に巻かれた垂直偏向コイル７３と、水平偏向コイル７１及び垂直偏向コイル７３の間に設けられたセパレータ７２と、これらを囲む筒状コア７０とを有している。水平偏向コイル７１及び垂直偏向コイル７３は、電子銃３０（図２）から射出された電子ビームをＨ軸方向及びＶ軸方向にそれぞれ偏向するための水平偏向磁界及び垂直偏向磁界を発生するものである。セパレータ７２は、水平偏向コイル７１及び垂直偏向コイル７３を互いに接触させないようにするための合成樹脂よりなる略漏斗状の部材である。筒状コア７０は、高透磁率材料からなり、偏向磁界に対する磁心又は帰磁路を構成している。
【００１４】
図４（Ａ）及び（Ｂ）は、偏向ヨーク７の筒状コア７０及び水平偏向コイル７１の形状をそれぞれ説明するための斜視図である。図４（Ｂ）に示すように、水平偏向コイル７１は、サドル状（鞍状）に巻かれた上下一対のコイル部７１ａからなり、各コイル部７１ａは、ファンネル２（図３）の外周面に沿って略Ｚ軸方向に延在する左右一対の延在部７１ｂと、一対の延在部７１ｂの後端部を互いに連結する渡り線部７１ｃと、一対の延在部７１ｂの前端部を互いに連結する渡り線部７１ｄとを含んでいる。垂直偏向コイル７３（図３）は、水平偏向コイル７１の外側に巻かれている。セパレータ７２（図３）は、水平偏向コイル７１と垂直偏向コイル７３との間に、両者が接触しないように介在している。
【００１５】
このように水平偏向コイル７１及び垂直偏向コイル７３をサドル状に巻線した構成は、サドル−サドル型と呼ばれ、漏洩磁界が少ないという特徴を持つものである。尚、本実施の形態は、水平偏向コイル７１をサドル状に巻線し、垂直偏向コイル７３をトロイダル状に巻線したサドル−トロイダル型の偏向ヨークにも適用することが可能である。この場合、筒状コア７０は、トロイダルコイルのコアとなる。
【００１６】
筒状コア７０は、上述した水平偏向コイル７１、セパレータ７２（図３）及び垂直偏向コイル７３（図３）を囲むように設けられている。図４（Ａ）に示すように、筒状コア７０のＺ軸に直交する断面形状（以下、単に断面形状とする）は、後端ｚ１から前端ｚ２に進むにつれて、円形状から、少なくともＶ軸方向に最大寸法を有する略樽形状に変化する。
【００１７】
より詳細には、筒状コア７０の外面７０ａの断面形状は、後端ｚ１から前端ｚ２に進むにつれて、円形状から、少なくともＶ軸方向に最大寸法を有する略樽形状に変化する。略樽形状の部分は、Ｖ軸に平行な略直線状の２辺とＺ軸を中心とした円弧状の２辺とからなる。同様に、筒状コア７０の内面７０ｂの断面形状は、後端ｚ１から前端ｚ２に進むにつれて、円形状から、少なくともＶ軸方向に最大寸法を有する略樽形状に変化する。
【００１８】
図５は、ヨーク取付け部５の前端ｚ２における断面形状を４分割した第１象限を示す図（いわゆる１／４象限図）である。ヨーク取付け部５の断面形状は、後端ｚ１から前端ｚ２に進むにつれて、円形状から、少なくともＶ軸方向に最大寸法を有する略樽形状に変化し、この略樽形状の部分において、Ｖ軸方向に延在する左右一対の側壁５１と、Ｚ軸を中心とした円弧状の上下一対の側壁５２とを有する。側壁５１，５２の間の角部５３の角度γ１は、鈍角である。
【００１９】
より詳細には、ヨーク取付け部５の外面５ａの断面形状は、後端ｚ１から前端ｚ２に進むにつれて、円形状から、少なくともＶ軸方向に最大寸法を有する略樽形状に変化する。略樽形状の部分は、Ｖ軸に平行な略直線状の２辺とＺ軸を中心とした半径Ｒｄの円弧状の２辺とからなる。同様に、ヨーク取付け部５の内面５ｂの断面形状は、後端ｚ１から前端ｚ２に進むにつれて、円形状から、少なくともＶ軸方向に最大寸法を有する略樽形状に変化する。
【００２０】
次に、実施の形態１による耐気圧性能の向上効果について、比較例と対比して説明する。図６は、実施の形態１との比較のため、従来の矩形状部分を有するヨーク取付け部の断面形状を示す図である。図６に示すヨーク取付け部では、真空外囲器内を真空にした際に大気圧荷重Ｆにより矩形状部分の各側壁１００が図中破線のように変形し、各側壁１００の外面において圧縮応力σｈ、σｖが生じる。各側壁１００の変形により、角部１０１の角度γ３が鋭角になるため、角部１０１の外面に大きな引張応力σｄが発生し、この角部１０１が起点となって亀裂が入り易い。
【００２１】
これに対し、実施の形態１のヨーク取付け部５は、図５に示すように、真空外囲器４（図１）内を真空にした際に大気圧荷重Ｆにより側壁５１，５２が図中破線のように変形した場合でも、側壁５１，５２の間の角部５３の角度γ１が鈍角であるため、角部５３の外面に亀裂の原因となる大きな引張応力σｄが発生しにくい。加えて、上下の側壁５２がＺ軸を中心とした円弧状であるため、大気圧荷重Ｆによる側壁５２の変形量を小さく抑えることができる。その結果、角部５３からの亀裂の発生を抑制することができる。
【００２２】
さらに、図４に示す筒状コア７０の断面形状が、後端ｚ１から前端ｚ２に進むにつれて、円形状から少なくともＶ軸方向に最大寸法を有する略樽形状に変化するため、筒状コア７０の内側に設けられる水平偏向コイル７１及び垂直偏向コイル７３（図３）を、ファンネル２内の電子ビーム通過領域に対してＨ軸方向に接近させることができる。従って、水平偏向磁界及び垂直偏向磁界を電子ビームに効率よく作用させることができ、偏向電力を低減することができる。
【００２３】
次に、実施の形態１におけるゲッタの取付け及び内部導電膜の形成の簡単化について説明する。図２に示したように、ファンネル２の内側には、陰極線管装置の製造工程において高周波加熱により加熱されて蒸発するゲッタ物質（図示せず）を支持するゲッタ支持部材１５が設けられている。ゲッタ支持部材１５は、ネック３内の電子銃構体３１に一端が固定された帯状の部材であり、ファンネル２の内面にほぼ沿って延在している。また、ゲッタ支持部材１５は、その先端部（パネル１側の端部）に、ゲッタ物質を保持するゲッタ容器１５ａを有している。このゲッタ支持部材１５は、ゲッタ物質が蒸発した後も、ファンネル２内に残るものである。
【００２４】
実施の形態１における陰極線管装置では、ヨーク取付け部５の内面５ｂが、後端ｚ１から前端ｚ２に進むにつれて、円形状から、少なくともＶ軸に最大寸法を有する略樽形状に変化しているため、ヨーク取付け部５の内側においてビーム通過領域の上側又は下側に、ゲッタ支持部材１５を取り付けるための十分なスペースが形成される。従って、ゲッタ支持部材１５の影がスクリーン１ａ上に投影され、あるいはコンバーゼンスが低下するといった問題が生じないように、電子ビーム通過領域から離れた位置にゲッタ支持部材１５を取り付けることができる。これにより、ゲッタ支持部材１５を図示しないアノード部等に取り付けるといった設計変更を行う必要がなくなり、その結果、大幅な製造条件の変更や製造ラインの改良が不要になる。
【００２５】
また、ファンネル２の内面には、真空外囲器４内の電位を一定に保つ導電膜として、黒鉛等よりなる内部導電膜１６が形成されている。この内部導電膜１６は、外部より高電圧が加えられる図示しないアノード部とスクリーン１ａ及び電子銃３０の電極とをそれぞれ接続する導通膜としても機能する。また、内部導電膜１６は、ファンネル２の外面に塗布される外部導電膜１７との間でコンデンサを形成し、カラー受像管駆動回路の一部としても機能する。この内部導電膜１６は、ファンネル２にパネル１を接合する前に、ファンネル２を回転させながら、ファンネル２の前端（パネル１側）からネック３側に黒鉛スラリーを流し込むという方法で形成される。実施の形態１に係る陰極線管では、ヨーク取付け部５の角部５３（図５）の角度が鈍角であるため、この角部５３に黒鉛スラリーの液溜まりが生じにくい。従って、黒鉛スラリーの塗布むらの発生を防止し、乾燥後の異物の発生やシャドウマスク１１への付着を防止することができる。尚、この内部導電膜１６は、図３では省略されている。
【００２６】
以上説明したように、実施の形態１に係る陰極線管装置によれば、耐気圧性能を向上すると共に、偏向電力を低減することができる。また、ヨーク取付け部５の内面への電子ビームの衝突を防止することにより、良好な表示画面を得ることができる。加えて、ゲッタ支持部材１５の表示画面への影響を抑制し、また内部導電膜１６の形成を容易に行うことが可能になる。
【００２７】
尚、この実施の形態１では、筒状コア７０の外面７０ａ及び内面７０ｂの両方が、後端ｚ１から前端ｚ２に進むにつれて円形状から略樽形状に変化するようにしたが、筒状コア７０の外面７０ａのみが円形状から略樽形状に変化する構成も可能である。同様に、この実施の形態１では、ヨーク取付け部５の外面５ａ及び内面５ｂの両方が、後端ｚ１から前端ｚ２に進むにつれて円形状から略樽形状に変化するようにしたが、ヨーク取付け部５の外面５ａのみが円形状から略樽形状に変化する構成も可能である。
【００２８】
実施の形態２．
図７は、実施の形態２に係る陰極線管装置を示す斜視図である。図８（Ａ）及び（Ｂ）は、実施の形態２に係る陰極線管装置の偏向ヨーク８の筒状コア８０及び水平偏向コイル７１を示す斜視図である。図８（Ａ）に示すように、筒状コア８０の断面形状は、後端ｚ１から前端ｚ２に進むにつれて、円形状から、少なくともＨ軸方向に最大寸法を有する略樽形状に変化する。
【００２９】
より詳細には、筒状コア８０の外面８０ａの断面形状は、後端ｚ１から前端ｚ２に進むにつれて、円形状から、少なくともＨ軸方向に最大寸法を有する略樽形状に変化する。略樽形状の部分は、Ｈ軸に平行な略直線状の２辺とＺ軸を中心とした円弧状の２辺とからなる。同様に、ヨーク取付け部５の内面５ｂの断面形状は、後端ｚ１から前端ｚ２に進むにつれて、円形状から、少なくともＨ軸方向に最大寸法を有する略樽形状に変化する。
【００３０】
筒状コア８０の内側には、実施の形態１と同様、水平偏向コイル７１、セパレータ７２及び垂直偏向コイル７３（図３）が設けられている。これらの構成は、実施の形態１と同様である。
【００３１】
図９は、ヨーク取付け部６の前端ｚ２における断面形状を４分割した第１象限を示す図（いわゆる１／４象限図）である。ヨーク取付け部６の断面形状は、後端ｚ１では円形状であり、後端ｚ１から前端ｚ２に進むにつれて、少なくともＨ軸方向に最大寸法を有する略樽形状に変化し、この略樽形状の部分において、Ｈ軸に平行な略直線状の２つの側壁６１と、Ｚ軸を中心とした円弧状の２つの側壁６２とを有する。これら側壁６１，６２の間の角部６３の角度γ２は、鈍角である。
【００３２】
より詳細には、ヨーク取付け部６の外面６ａの断面形状は、後端ｚ１から前端ｚ２に進むにつれて、円形状から、少なくともＨ軸方向に最大寸法を有する略樽形状に変化する。略樽形状の部分は、Ｈ軸に平行な略直線状の２辺とＺ軸を中心とした半径Ｒｄの円弧状の２辺とからなる。同様に、ヨーク取付け部６の内面６ｂの断面形状は、後端ｚ１から前端ｚ２に進むにつれて、円形状から、少なくともＨ軸方向に最大寸法を有する略樽形状に変化する。
【００３３】
実施の形態２のヨーク取付け部６は、真空外囲器４（図１）内を真空にした際に大気圧荷重Ｆにより側壁６１，６２が破線で示すように変形した場合でも、側壁６１，６２の間の角部６３の角度γ２が鈍角であるため、角部６３の外面に亀裂の原因となる大きな引張応力σｄが発生しにくい。加えて、左右の側壁６２がＺ軸を中心とした円弧状であるため、大気圧荷重Ｆによる側壁６２の変形量を小さく抑えることができる。従って、角部６３からの亀裂の発生を抑制し、耐気圧性能を向上することができる。
【００３４】
さらに、図８に示す筒状コア８０の断面形状が、後端ｚ１から前端ｚ２に進むにつれて、円形状から少なくともＨ軸方向に最大寸法を有する略樽形状に変化するため、筒状コア８０の内側に設けられる水平偏向コイル７１及び垂直偏向コイル７３（図３）を、ファンネル２内の電子ビーム通過領域に対してＶ軸方向に接近させることができる。従って、水平偏向磁界及び垂直偏向磁界を電子ビームに効率よく作用させることができ、偏向電力を低減することができる。
【００３５】
加えて、実施の形態２に係る陰極線管では、ヨーク取付け部６内の右側又は左側に、ゲッタ支持部材１５（図２）を配置する十分なスペースを確保できるため、ゲッタ支持部材１５の影がスクリーン上に投影され、あるいはコンバーゼンスが低下するという問題を解消することができる。さらに、フローコートにより内部導電膜１６（図２）を形成する際に、黒鉛スラリーの液流れを向上することができ、黒鉛スラリーの液溜りの発生を防止することができる。従って、黒鉛スラリーの塗布むらによる内部導電膜１６の剥がれに伴う問題を解消することができる。
【００３６】
以上説明したように、実施の形態２に係る陰極線管装置によれば、耐気圧性能を向上すると共に、偏向電力を低減することができる。また、ヨーク取付け部６の内面への電子ビームの衝突を防止することにより、良好な表示画面を得ることができる。加えて、ゲッタ支持部材１５の表示画面への影響を抑制し、また内部導電膜１６の形成を容易に行うことが可能になる。
【００３７】
尚、実施の形態１と同様、この実施の形態２においても、筒状コア８０の外面８０ａのみが、後端ｚ１から前端ｚ２に進むにつれて円形状から略樽形状に変化するよう構成してもよい。同様に、ヨーク取付け部６の外面６ａのみが、後端ｚ１から前端ｚ２に進むにつれて円形状から略樽形状に変化するよう構成してもよい。
【００３８】
次に、上述した実施の形態１及び２に係る陰極線管において、偏向感度を向上しつつ、ヨーク取付け部５，６の内面への電子ビームの衝突（ＢＳＮ現象）を確実に回避するための構成について説明する。尚、偏向ヨーク７，８及びその内側のヨーク取付け部５，６の形状は、上述した実施の形態１及び２において説明したとおりである。
【００３９】
実施の形態１に係る偏向ヨーク７の筒状コア７０の任意の断面（ネック３の近傍領域を除く）において、Ｚ軸から筒状コア７０の外面７０ａへのＨ軸方向における距離をＹｈｃとし、Ｖ軸方向における距離をＹｖｃとし、スクリーン１ａのアスペクト比（水平：垂直）をＭ：Ｎとして、これらが満足すべき関係式を、電子銃３０から射出された電子ビームの軌道解析及び偏向ヨーク７の発する磁界の解析（偏向磁界シミュレーション解析）により求めた。
【００４０】
また、実施の形態２に係る偏向ヨーク８の筒状コア８０の任意の断面（ネック３の近傍領域を除く）において、Ｚ軸から筒状コア８０の外面８０ａへのＨ軸方向における距離をＹｈｃとし、Ｖ軸方向における距離をＹｖｃとし、スクリーン１ａのアスペクト比（水平：垂直）をＭ：Ｎとして、これらが満足すべき関係式を求めた。
【００４１】
その結果、実施の形態１の陰極線管（Ｙｈｃ＜Ｙｖｃ）については、筒状コア７０の外面７０ａが以下の関係式（１）を満足する場合に、偏向感度を向上しつつ電子ビームへの内面への衝突を防止できることが分かった。また、実施の形態２の陰極線管（Ｙｈｃ＞Ｙｖｃ）については、筒状コア７０の外面７０ａが以下の関係式（２）を満足する場合に、偏向感度を向上しつつ電子ビームへの内面への衝突を防止できることが分かった。
【００４２】
０．６×（Ｎ／Ｍ）≦（Ｙｖｃ２−Ｙｈｃ２）１／２／Ｙｈｃ≦１．２×（Ｎ／Ｍ）    ・・・（１）
１．２×（Ｎ／Ｍ）≦Ｙｖｃ／（Ｙｈｃ２−Ｙｖｃ２）１／２≦１．８×（Ｎ／Ｍ）    ・・・（２）
【００４３】
尚、上記の関係式（１）及び（２）を求めるに当たっては、以下の式（３）及び（４）の条件のもとに解析を行った。すなわち、水平偏向コイル７１及び垂直偏向コイル７３の発生する磁界はそれぞれピンクッション形及びバレル形であり、垂直偏向磁界の中心は水平偏向磁界の中心よりもネック３側に形成されることから、スクリーン１ａの角部に到達する電子ビームは、最初にＶ軸方向に強く偏向され、その後次第にＨ軸方向及びＶ軸方向に偏向される。そのため、筒状コア７０，８０の内側のヨーク取付け部５，６内における電子ビーム通過領域をアスペクト比で表すと、スクリーン１ａのアスペクト比とは異なる値になる。言い換えると、Ｙｈｃ＜Ｙｖｃの場合には以下の式（３）が成立し、Ｙｈｃ＞Ｙｖｃの場合には以下の式（４）が成立する。この式（３）及び（４）を用いて上記の関係式（１）及び（２）を求めた。
Ｎ／Ｍ  ≠  （Ｙｖｃ２−Ｙｈｃ２）１／２／Ｙｈｃ・・・（３）
Ｎ／Ｍ  ≠  Ｙｖｃ／（Ｙｈｃ２−Ｙｖｃ２）１／２・・・（４）
【００４４】
上述したように、筒状コア７０の外面７０ａが関係式（１）を満足し、また筒状コア８０の外面８０ａが関係式（２）を満足する構成により、偏向感度を向上し、その結果、偏向電力を低減することができる。加えて、電子ビームがファンネル２のヨーク取付け部５，６の内面に衝突することに起因する表示画面の不良の発生を防止することができる。
【００４５】
【発明の効果】
以上説明したように、本発明に係る陰極線管は、偏向ヨークの筒状コアの外面及び内面のうち少なくとも外面、及びファンネルのヨーク取付け部の外面及び内面のうち少なくとも外面を、管軸に直交する断面形状が、ネック側の端部からパネル側の端部に進むにつれて、円形状から、少なくとも水平軸方向又は垂直軸方向に最大寸法を有する略樽形状に変化するよう構成したので、耐気圧性能を向上しつつ、偏向電力を低減し、且つ表示画面の不良を防止することができる。さらに、ファンネル内側の導電膜の形成が容易になり、且つ、ファンネル内におけるゲッタ支持部材の取付けスペースの確保が容易になる。
【図面の簡単な説明】
【図１】本発明の実施の形態１に係る陰極線管装置を示す斜視図である。
【図２】実施の形態１に係る陰極線管装置の内部構造を示す側断面図である。
【図３】実施の形態１に係る陰極線管装置における偏向ヨークの断面構造を示す側断面図である。
【図４】実施の形態１に係る陰極線管装置における偏向ヨークの筒状コア（Ａ）及び水平偏向コイル（Ｂ）の各斜視図である。
【図５】実施の形態１に係る陰極線管装置におけるヨーク取付け部の断面形状を４分割した第１象限を示す図である。
【図６】実施の形態１に係る陰極線管装置の作用効果を説明するための比較例を示す図である。
【図７】本発明の実施の形態２に係る陰極線管装置を示す斜視図である。
【図８】実施の形態２に係る陰極線管装置における偏向ヨークの筒状コアの斜視図である。
【図９】実施の形態２に係る陰極線管装置におけるヨーク取付け部の断面形状を４分割した第１象限を示す図である。
【符号の説明】
１  パネル、  １ａ  スクリーン、  ２  ファンネル、  ３  ネック、  ４  真空外囲器、  ５，６  ヨーク取付け部、  ７，８  偏向ヨーク、  １５  ゲッタ支持部材、  １６  内部導電膜、  ３０  電子銃、  ３１  電子銃構体、  ７０，８０  筒状コア、  ７０ａ，８０ａ  外面、  ７０ｂ，８０ｂ  内面、  ７１  水平偏向コイル、  ７２  セパレータ、  ７３  垂直偏向コイル。
【図１】
2004281335.tif 000003
【図２】
2004281335.tif 000004
【図３】
2004281335.tif 000005
【図４】
2004281335.tif 000006
【図５】
2004281335.tif 000007
【図６】
2004281335.tif 000008
【図７】
2004281335.tif 000009
【図８】
2004281335.tif 000010
【図９】
2004281335.tif 000011